(57)【特許請求の範囲】
【請求項１】
主幹ブレーカよりも下流側に設置された分岐ブレーカの負荷側端子、或いはそれより下流側の電路において、２つの電気機器に連なる同じ極性の２本の電線間の電位差を検知するセンサ回路と、前記電位差が規定値を超えたときに電路の異常を検出する検出回路とを備えたことを特徴とする異常検出装置。
【請求項２】
前記検出回路からの指令に応答して電路の異常を表示する表示器を備えた請求項１記載の異常検出装置。
【請求項３】
主幹ブレーカよりも下流側に設置された分岐ブレーカの負荷側端子、或いはそれより下流側の電路において、２つの電気機器に連なる同じ極性の２本の電線間の電位差を検知し、該電位差が規定値を超えたときに電路の異常を検出することを特徴とする異常検出方法。
【発明の詳細な説明】
【技術分野】
【０００１】
本発明は、分電盤を含む電路の接続不良や導通不良などの異常を検出する装置と方法に関する。
【背景技術】
【０００２】
一般に、分電盤の内部にはブレーカや端子台等の複数の電気機器が設けられ、分電盤よりも下流側の電路にも各種の電気機器が接続されている。これらの電気機器は、端子部やネジ接続部に接続不良が発生しやすく、発熱の原因となる。そこで、従来、電路の異常を検出するための装置を分電盤内に設ける技術が提案されている。例えば、特許文献１には、ブレーカの端子部において、ネジと電源座とにセンサ回路を接続し、センサ回路の出力に基づいて端子部の接続不良を検出する装置が記載されている。
【先行技術文献】
【特許文献】
【０００３】
【特許文献１】特開２００９−２４５８３６号公報
【発明の概要】
【発明が解決しようとする課題】
【０００４】
ところが、従来装置によると、センサ回路をブレーカに組み込んでいるため、既設の分電盤に検出機能を追加する際には、複数のブレーカをセンサ回路付の新規ブレーカに交換する必要があった。また、主幹ブレーカよりも下流側の端子台、さらに下流側の負荷回路上のコンセントや各種電気機器の接続不良、導通不良を検出するためには、多数の電気接続部にセンサ回路を設ける必要があり、電路の構成がたいへん複雑になるという問題点もあった。
【０００５】
そこで、本発明の目的は、主幹ブレーカよりも下流側の電路において、多数の電気接続部の不良・不通を一括して検出することができる装置と方法を提供することにある。
【課題を解決するための手段】
【０００６】
上記課題を解決するために、本発明は、次のような異常検出装置と方法を提供する。
（１）主幹ブレーカよりも下流側に設置された分岐ブレーカの負荷側端子、或いはそれより下流側の電路において、２つの電気機器に連なる同じ極性の２本の電線間の電位差を検知するセンサ回路と、前記電位差が規定値を超えたときに電路の異常を検出する検出回路とを備えたことを特徴とする異常検出装置。
【０００７】
（２）検出回路からの指令に応答して電路の異常を表示する表示器を備えたことを特徴とする異常検出装置。
【０００８】
（３）主幹ブレーカよりも下流側に設置された分岐ブレーカの負荷側端子、或いはそれより下流側の電路において、２つの電気機器に連なる同じ極性の２本の電線間の電位差を検知し、該電位差が規定値を超えたときに電路の異常を検出することを特徴とする異常検出方法。
【発明の効果】
【０００９】
本発明の装置および方法によれば、主幹ブレーカよりも下流側において、同極性の電線間の電位差をセンサ回路で検知するので、そのセンサ回路から主幹ブレーカに至るまでの電路上に存在する多数の電気接続部の不良・不通を簡単な構成で一括して検出できるという効果がある。
【図面の簡単な説明】
【００１０】
【図１】本発明の一実施形態を示す異常検出装置の配線図である。
【図２】本発明の別の実施形態を示す異常検出装置の配線図である。
【発明を実施するための形態】
【００１１】
以下、本発明を単相３線式電路に具体化した一実施形態を図面に基づいて説明する。図１に示す異常検出装置６は、分電盤１の末端機器である端子台として機能するように構成されている。分電盤１の筐体２内には一つの主幹ブレーカ４と複数の分岐ブレーカ５とが配設され、主幹ブレーカ４よりも下流側の筐体２内に異常検出装置６のハウジング１１が設置されている。
【００１２】
主幹ブレーカ４の電源側端子部４ａには電源線７が接続され、主幹ブレーカ４の負荷側端子部４ｂと分岐ブレーカ５の電源側端子部５ａとの間に銅バー８が接続され、分岐ブレーカ５の負荷側端子部５ｂと異常検出装置６の電源側端子部６ａとの間にリード線９が配線され、異常検出装置６の負荷側端子部６ｂに負荷配線１０を介して複数の負荷機器（電気機器）３が接続されている。
【００１３】
異常検出装置６のハウジング１１は長尺に形成され、相対向する２面に電源側端子部６ａと負荷側端子部６ｂとがそれぞれ複数配列されている。ハウジング１１の内部には、２本の負荷配線１０の電位差を検知するセンサ回路１２と、各センサ回路１２の検知データを受け取る一つの検出回路１３と、電路の異常を表示する表示器１４と、電路の異常を外部に知らせる通信回路１５および外部接続端子１６とが設けられている。
【００１４】
異常検出装置６の隣接する２つの端子部６ａ，６ｂは、リード線９によって極性の異なる電路（Ｌ１とＮまたはＮとＬ２）に接続されている。複数のセンサ回路１２は、それぞれ、一つ置きに二つの負荷側端子部６ｂに接続され、同じ極性（Ｌ１とＬ１、ＮとＮ、Ｌ２とＬ２）の２本の負荷配線１０間の電位差を検知する。そして、検出回路１３は、センサ回路１２の出力が予め定められた規定値を超えたときに電路の異常を検出し、表示器１４および通信回路１５に警告表示指令または警報通知指令を出力するように構成されている。
【００１５】
次に、単相３線式電路の異常を検出する方法について説明する。この電路（電圧線Ｌ１，Ｌ２、中性線Ｎ）の通電中には、異常検出装置６のセンサ回路１２が、分電盤１の外部に配置された２つの負荷機器３に連なる同極性の２本の負荷配線１０間の電位差を検知している。主幹ブレーカ４よりも下流側の電路に異常がない場合は、同極同士の負荷配線１０間の電位差は「０」であるため、検出回路１３は電路の異常を検出せず、表示器１４および通信回路１５が共に停止状態に保持される。
【００１６】
一方、主幹ブレーカ４よりも下流側の銅バー８、分岐ブレーカ５、異常検出装置（端子台）６、分電盤１外の負荷配線１０、負荷機器３を含む電路の何処かで、端子部またはネジ接続部に接続不良が発生したり、分岐ブレーカ５の内部接点５ｃまたはリード線９、負荷配線１０に導通不良や断線が発生したりすると、センサ回路１２が異常箇所を含む電路と同じ極性の２本の負荷配線１０間の異常電位差を検知し、検出回路１３が警告表示指令と警報通知指令を出力し、表示器１４が所定の警告表示を行い、通信回路１５が外部接続端子１６を介して所定の警報電文を外部監視装置に送信する。
【００１７】
したがって、この実施形態の異常検出装置６および異常検出方法によれば、銅バー８、分岐ブレーカ５、リード線９、端子台（異常検出装置）６、負荷配線１０、負荷機器３を含む分電盤１内外の電路上に存在する多数の電気接続部の不良・不通を分電盤１の末端機器である端子台を利用した簡単かつ安価な構成により一括して的確に検出することができる。
【００１８】
図２に示す異常検出装置２６は、２台が負荷配線１０上のコンセント２７と照明器具２８とに接続されている。異常検出装置２６は、図１の異常検出装置６とほぼ同様に構成され、ハウジング１１に内装された複数のセンサ回路１２がそれぞれ２つのコンセント２７または照明器具２８に連なる同じ極性の２本の電線２９の電位差を検知し、その電位差が規定値を超えたときに、検出回路１３が電路の異常を検出し、警告表示指令を表示器１４に出力するようになっている。
【符号の説明】
【００１９】
１    分電盤
４    主幹ブレーカ
５    分岐ブレーカ
６    異常検出装置
８    銅バー
１２    センサ回路
１３    検出回路
１４    表示器
【図１】
0005646544.tif 000002
【図２】
0005646544.tif 000003